(57)【特許請求の範囲】
【請求項１】
前面を開口した収納凹所を有する収納キャビネットを壁面に埋設し、上記収納キャビネットの上部に吸入口を設けると共に収納キャビネットの下部に前面に吹出し口を配置した温風器を内装し、上記吸入口と上記温風器とを連通した空気通路を上記収納キャビネットの略上下に亘って形成し、上記空気通路の少なくとも一部を上記収納凹所の背面と側面とが成すコーナー部分に設け、化粧背板の側端部を前方に屈曲させて屈曲部を形成し、上記化粧背板の背面を収納キャビネットの収納凹所の背板の前面に重ねて取り付け、収納キャビネットの収納凹所の背板と側板とが成すコーナー部と上記化粧背板の屈曲部との間に形成した隙間を上記コーナー部分に設ける空気通路としたことを特徴とする壁埋め込みキャビネット。
【請求項２】
収納キャビネットの上部の前面にスイッチ部を配設し、上記スイッチ部の下部に前面を開口した収納凹所を設け、上記スイッチ部の裏面に中空空間を形成し、上記中空空間に下方開口を設けて上記中空空間と上記収納凹所とを連通した吸入口を形成し、上記中空空間と空気通路とを連通したことを特徴とする請求項１に記載の壁埋め込みキャビネット。
【発明の詳細な説明】
【０００１】
【発明の属する技術分野】
本発明は、トイレルームの壁面に埋設して収納物を収納させる壁埋め込みキャビネットに関する発明である。
【０００２】
【従来の技術】
従来から、狭い空間であるトイレルームを広く且つ効率良く使用できるように、トイレルームで使用されるトイレットペーパー等の小物等の収納物を収納するための収納キャビネット１をトイレルームの壁面３に埋設して壁埋め込みキャビネットを形成していた。壁埋め込みキャビネットには、例えば、図６に示すようなものがあるが、この壁埋め込みキャビネットを構成する前方に開口した収納キャビネット１は、その上下方向の中央部に用便者が用便後に手を洗い得る洗面ボウル１５が設置され、洗面ボウル１５の上下位置には収納物を収納し得る収納凹所２が配設されている。また、収納キャビネット１の最下部には前方に吹出し口５を配置した温風器６が設置され、収納キャビネット１の上部の前面には上記温風器６を操作するスイッチ部８が配設されている。なお、この温風器６は用便者の足元を暖める目的で設置されたものである。そして、この収納キャビネット１内には上記背板１ａの前方に隙間２４を介在させて板状化粧背板２５が上記背板１ａと同様に立設され、上記背板１ａと板状化粧背板２５との間の隙間２４が略上下に亘って配設した空気通路７を構成している。この空気通路７は、スイッチ部８の上部の収納キャビネット１に前方に開口した吸入口４と上記温風器６とを連通して、吸入口４から温風器６に空気を供給するものである。なお、収納キャビネット１の上部に吸入口４を配置すると共に収納キャビネット１の下部に吹出し口５を配置しているのは、吸入口４と吹出し口５とを離すことで吹出し口５から吹き出された温風がすぐに吸入口４から空気通路７に吸入されるような局所的な空気循環を防ぐためである。
【０００３】
【発明が解決しようとする課題】
ここで、壁埋め込みキャビネットは、収納キャビネット１内に空気通路７を確保しつつも収納物を多く収納し得るように収納キャビネット１の収納スペースを広く形成することが要求されるものであるが、収納キャビネット１は壁面３に埋設されるものであることから収納キャビネット１の奥行き寸法は壁面３に凹設した収納キャビネット１の設置部分の規定の寸法以上には設定することができないという条件下で上記要求に応えなければならない。この例においては、空気通路７は背板１ａと板状化粧背板２５との間の隙間２４で構成させて空気通路７を設けているが、収納キャビネット１の背板１ａの前方に隙間２４を介在させて配置した板状化粧背板２５が収納スペースとしての収納凹所２の奥行き寸法を狭くしてしまい、従って、奥行き寸法の短い収納物しか上記収納凹所２に収納できなくしてしまうものであった。つまり、収納スペースに収納できる収納物を限定してしまい、収納スペースの実際の面積以上に実質的に収納スペースを小さくしてしまうものであった。また、上記空気通路７に連通する吸入口４は前方に開口して外部に露出してしまっており、外観上好ましいものではなかった。
【０００４】
本発明は上記の点に鑑みてなされたものであり、収納キャビネットの内部に空気通路を確保しつつも収納キャビネットの収納スペースの奥行き寸法を長く形成して収納スペースを広く設けると共に、外観の向上を図った壁埋め込みキャビネットを提供することを課題とするものである。
【０００５】
【課題を解決するための手段】
上記課題を解決するために本発明の請求項１に係る壁埋め込みキャビネットは、前面を開口した収納凹所２を有する収納キャビネット１を壁面３に埋設し、上記収納キャビネット１の上部に吸入口４を設けると共に収納キャビネット１の下部に前面に吹出し口５を配置した温風器６を内装し、上記吸入口４と上記温風器６とを連通した空気通路７を上記収納キャビネット１の略上下に亘って形成し、上記空気通路７の少なくとも一部を上記収納凹所２の背面と側面とが成すコーナー部分に設け、化粧背板１１の側端部を前方に屈曲させて屈曲部１２を形成し、上記化粧背板１１の背面を収納キャビネット１の収納凹所２の背板１ａの前面に重ねて取り付け、収納キャビネット１の収納凹所２の背板１ａと側板１ｂとが成すコーナー部１３と上記化粧背板１１の屈曲部１２との間に形成した隙間１４を上記コーナー部分に設ける空気通路７としたことを特徴とする。これにより、吸入口４と温風器６とを連通すると共に収納キャビネット１の上下に亘って形成した空気通路７の少なくとも一部を収納凹所２の背面と側面とが成すコーナー部分に設けたことで、収納スペースとして利用されることの少ない収納凹所２のコーナー部分に空気通路７を確保することになり、収納キャビネット１のスペースの有効活用を図れるものであり、また、収納凹所２のコーナー部分以外ではその収納凹所２の奥行き寸法を収納キャビネット１の奥行き寸法内で最大限に確保することができるものであって、壁面３によりその奥行き寸法が規制される壁埋め込みキャビネットの収納キャビネット１に有効に収納スペースを設けることができるものである。また、化粧背板１１が側端部を前方に屈曲させた屈曲部１２を形成しているために収納凹所２の背板１ａの前面に化粧背板１１を重ねて取り付けると、収納凹所２の背板１ａと側板１ｂとが成すコーナー部１３と化粧背板１１の屈曲部１２との間には隙間１４が生じるものであり、この隙間１４を空気通路７として利用しているものであり、つまり、収納凹所２の背板１ａの前面に化粧背板１１の背面を重ねて取り付けることで、収納凹所２の奥行き寸法を収納キャビネット１の奥行き寸法の範囲で最大限確保できると共に収納スペースとして利用されることの少ない収納凹所２の背面と側面とが成すコーナー部分において空気通路７を確保することになり、収納キャビネット１のスペースの有効活用を図れるものであり、また、収納凹所２のコーナー部分以外ではその収納凹所２の奥行き寸法を収納キャビネット１の奥行き寸法内で最大限に確保することができるものであって、壁面３によりその奥行き寸法が規制される壁埋め込みキャビネットの収納キャビネット１に有効に収納スペースを設けることができるものである。更に言うと、たとえば、化粧背板１１の屈曲部１２の屈曲形状をトイレットペーパーＢの外周面の曲率に合わせて形成させると、収納凹所２に有効にトイレットペーパーＢが収納できるものであって、収納凹所２の収納スペースの有効活用が図られるものである。
【０００６】
また、本発明の請求項２に係る壁埋め込みキャビネットは、請求項１において、収納キャビネット１の上部の前面にスイッチ部８を配設し、上記スイッチ部８の下部に前面を開口した収納凹所２を設け、上記スイッチ部８の裏面に中空空間９を形成し、上記中空空間９に下方開口１０を設けて上記中空空間９と上記収納凹所２とを連通した吸入口４を形成し、上記中空空間９と空気通路７とを連通したことを特徴とする。これにより、空気通路７に連通する吸入口４が収納キャビネット１の上部の前面に露出したスイッチ部８の裏方に位置して、つまり、吸入口４は収納キャビネット１を前面から見てスイッチ部８の蔭に隠れる位置に位置するものであることから、収納キャビネット１に開口する吸入口４が外観上見えないものであって壁埋め込みキャビネットの外観を向上させるものである。
【０００８】
【発明の実施の形態】
以下、本発明を添付図面に示す実施形態に基づいて説明する。
【０００９】
本実施の形態の例の壁埋め込みキャビネットは、図１乃至図５に示すように、トイレルームの壁面３にトイレットペーパーＢ等の小物等の収納物を収納する収納キャビネット１を埋設して形成されるものである。
【００１０】
この収納キャビネット１は、背板１ａの前面の両側縁からそれぞれ側板１ｂを、上記背板１ａの前面の上縁から上板１ｃを、更に、上記背板１ａの前面の下縁から下板１ｄを、それぞれ前方に突設して形成した収納物を収納する収納凹所２を備えた矩形状の筐体である。上記収納キャビネット１には上部に吸入口４を設けると共に最下部に前方に吹出し口５を配置した温風器６を設置しているものであって、上記収納キャビネット１内の背部には略上下に亘って吸入口４から温風器６に至る空気通路７が形成されるものである。また、この収納キャビネット１の上下方向の略中央部分には用便者が用便後に手を洗い得る洗面ボウル１５を設置している。また、収納キャビネット１の上部には前面に上記温風器６を操作するスイッチ部８を配設している。そして、収納凹所２は、本例では、スイッチ部９の上方に上部収納凹所２ａが配設され、洗面ボウル１５とスイッチ部９との間に中央収納凹所２ｂが配設され、洗面ボウル１５の下方に下部収納凹所２ｃが配設されている。
【００１１】
上部収納凹所２ａは、収納キャビネット１のスイッチ部９の上方位置で背板１ａと側板１ｂとの間に水平に架設した上部棚板２２と上板１ｃとの間に設けた前面開口を有した空間をいうものである。この上部収納凹所２ａには前面開口を開閉する上部前面扉２６ａを設けている。この上部前面扉２６ａは、一方の側板１ｂに設けた蝶番２７を介して回動自在に設けられると共に、他方の側板１ｂに設けた着脱金具２８に吸着されて前面開口を閉塞した際に前面開口の閉塞状態を維持されるものである。なお、この上部前面扉２６ａの下端はスイッチ９部の上縁まで垂下されているものである。
【００１２】
中央収納凹所２ｂは、洗面ボウル１５の上縁に側板１ｂ間に水平に架設した中央棚板１６と上記スイッチ部８の下縁に側板１ｂ間に水平に架設した化粧板１８との間に設けた前面開口を有する空間をいうものである。ここで、上記化粧板１８はその背方で背板１ａと接触しないように空隙を有して配設されている。また、この中央収納凹所２ｂでは、収納キャビネット１の背板１ａの前方に隙間２４を介在させて板状化粧背板２５を中央棚板１６の背面に当接させると共に上記背板１ａと平行に立設して配置している。この板状化粧背板２５と背板１ａとの間の隙間２４は上述した空気通路７の上部の一部を構成しているものである。この板状化粧背板２５は化粧板１８と背板１ａとの間の空隙を挿通するものであって、スイッチ部８の裏面との間に中空空間９を形成しているものである。この中空空間９は板状化粧背板２５の前面と化粧板１８の背面との間に生じる下方開口１０を有している。後述するがこの下方開口１０は上述した空気通路７の吸入口４を構成するものである。なお、スイッチ部８の上縁には桟２０が側板１ｂ間に架設されると共に上部棚板２２の下縁の前面には幕板２１が側板１ｂ間に架設されており、この桟２０と幕板２１との間にフィルタ２３を側板１ｂ間に水平に着脱自在に架設している。このフィルタ２３は上部前面扉２６ａを開いた状態で引き抜いて新たなフィルタに取り替えたりメンテナンスができるものである。ここで、上記板状化粧背板２５の上端は収納キャビネット１に装着した上記フィルタ２３の背面と当接するものである。しかして、幕板２１の裏面と背板１ａとの間には隙間２４と連通した中空空間３４が形成されるものである。上記中空空間９は下方開口１０を介して中央収納凹所２ｂと連通すると共に、フィルタ２３を介して中空空間３４と連通し、また、中央収納凹所２ｂは下方開口１０を介して隙間２４とは連通していることから、中央収納凹所２ｂから隙間２４は連通するものであり、上述した中央収納凹所２ｂから隙間２４に至る連通路は上記空気通路７の一部を構成するものである。また、この連通路の先端にある下方開口１０は空気通路７の吸入口４として機能するものである。なお、上記板状化粧背板２５の下端は後述する化粧背板１１の上端の前方突出壁３２の上面に載置されるものである。
【００１３】
下部収納凹所２ｃは、上記温風器６の上縁に背板１ａと側板１ｂとの間に水平に架設した下部棚板１７と洗面ボウル１５との間に設けた前面開口を有した空間をいうものである。ここで、図５に示すように、下部収納凹所２ｃの背板１ａと側板１ｂとが成すコーナー部１３に位置した下部棚板１７の部分には貫通孔３３が穿設されているものである。この下部収納凹所２ｃには前面開口を開閉する下部前面扉２６ｂを設けている。この下部前面扉２６ｂは、一方の側板１ｂに設けた蝶番２７を介して回動自在に設けられると共に、他方の側板１ｂに設けた着脱金具２８に吸着されて前面開口を閉塞した際に前面開口の閉塞状態を維持されるものである。この下部前面扉２６ｂの下端は温風器６の吹出し口５の上縁まで垂下されているものである。なお、この下部収納凹所２ｃの上部の空間には洗面ボウル１５から延出した排水管路２９が位置し、上記排水管路２９は側板１ｂを貫通してトイレルームの壁面３内に配設されている。
【００１４】
また、この下部収納凹所２ｃでは、収納キャビネット１の背板１ａの前面に化粧背板１１の背面が重ねて取り付けられる。この化粧背板１１は、図４に示すように、矩形状の一枚板の上端及び両側端部分をそれぞれ前方に屈曲させて屈曲部１２を形成し、上記屈曲部１２から連続して前方突出壁３２を前方に突設し、上記前方突出壁３２の前端部分に外方突出させたフランジ部３０を形成して一体化し、側面縦断面がＬ字状で水平断面がＵ字状で前面縦断面が逆Ｕ字状の形状のものであって、金属や樹脂等を成形させたものである。
【００１５】
この化粧背板１１の背面を収納キャビネット１の背板１ａの前面に重ねて取り付ける際には、化粧背板１１のフランジ部３０を側板１ｂに凹設された係合溝３１に係合させて化粧背板１１を下部収納凹所２ｃに配設するものであって、化粧背板１１が背板１ａに装着した状態は図２に示すものであるが、化粧背板１１の屈曲部１２の背面と収納キャビネット１の下部収納凹所２ｃの背板１ａと側板１ｂとが成すコーナー部１３との間には隙間１４が形成される。この隙間１４は上述した空気通路７の下部の一部を構成しているものであって、コーナー通路３６とする。また、上述したように、板状化粧背板２５の下端が化粧背板１１の上端の前方突出壁３２の上面に載設されているので、空気通路７の下部の一部を構成する隙間１４と空気通路７の上部の一部を構成する隙間２４とが連通するものである。このように、空気通路７は収納キャビネット１の背部の略上下に亘って配設されているものである。また、上述したように下部棚板１７のコーナー部１３に位置した部分には貫通孔３３が穿設されていることから、空気通路７の下部の一部を構成した隙間１４は温風器６に連通しているものである。このように、化粧背板１１を収納凹所２の背板１ａの前面に重ねて設けることで、収納凹所２のコーナー部１３には空気通路７を構成するコーナー通路３６（本例では隙間１４）が配設されるものである。
【００１６】
また、図２にはトイレットペーパーＢを下部収納凹所２ｃに収納した状態を示すものであるが、本例では化粧背板１１の屈曲部１２をトイレットペーパーＢの外周に略沿わせることができるようにＲ５５程度に製作している。このように、上記屈曲部１２をＲ５５程度にした化粧背板１１を用いて収納凹所２の背板１ａの取り付けると、トイレットペーパーＢを収納凹所２に効率的に収納することができるものであって、収納キャビネット１のスペースの有効活用が図られるものである。
【００１７】
上述したように形成された収納キャビネット１では、スイッチ部８の裏面の中空空間９は中央収納凹所２ｂと下部開口１０を介して連通し、また、上記中空空間９はフィルタ２３を介して幕板２１の裏面の中空空間３４と連通し、上記中空空間３４は板状化粧背板２５と背板１ａとの間の隙間２４と連通し、上記隙間２４は化粧背板１１の屈曲部１２と下部収納凹所２ｃのコーナー部１３の間に形成された隙間１４と連通し、上記隙間１４は貫通孔３３を介して温風器６と連通するものであり、つまり、下部開口１０を吸入口４として温風器６に至る空気通路７が収納キャビネット１内の背部に略上下に連通して配設されているものである。上記スイッチ部８を操作して温風器６を作動させた際には、中央収納凹所２ｂにある空気が吸入口４から空気通路７に取り込まれ、上記空気は空気通路７を介して温風器６に吸入され、上記温風器６の吹出し口５から温風が吹き出されるのである。ここで、この空気通路７はスイッチ部８の裏面に位置した中空空間９の下部開口１０を吸入口４としていることから、上記吸入口４はスイッチ部８の蔭に隠れる位置に位置するものであり、収納キャビネット１に開口する吸入口４が外観上見えないものであって壁埋め込みキャビネットの外観を向上させるものである。
【００１８】
また、上述したように空気通路７は収納キャビネット１の内部に確保されるものであるが、空気通路７をコーナー通路３６で構成した部分の収納凹所２（本例では、下部収納凹所２ｃ）では、屈曲部１２を有する化粧背板１１の背面を収納凹所２の背板１ａの前面に重ねて取り付けることができ、収納キャビネット１の規定の奥行き寸法の範囲内において収納凹所２の奥行きを最大限確保することができるものである。つまり、収納凹所２の背板１ａに化粧背板１１を重ねて取り付けることで、収納凹所２の背面と側面とが成すコーナー部分においてコーナー通路３６を配設して空気通路７を確実に確保することができるものであって、収納キャビネット１内に空気通路７を確保しつつも収納凹所２の奥行き寸法を収納キャビネット１の奥行き寸法の範囲で最大長さにすることができ、壁面３によりその奥行き寸法が規制される収納キャビネット１の収納凹所２に有効に収納スペースを設けることができるものである。更に言うと、収納凹所２の背面と側面とが成すコーナー部分は、例えばトイレットペーパーＢなどの収納物を収納凹所２に収納させる場合には、収納に利用されないデッドスペースになるものであって、このように収納凹所２の背面と側面とが成すコーナー部分は他の部分と比較して収納に利用されないデッドスペースになる場合が多いのであるが、空気通路７のコーナー通路３６を設けたことで上記収納凹所２の背面と側面とが成すコーナー部分を積極的に使用することができ、収納キャビネット１のスペースの有効活用が図れるものである。
【００１９】
また、本例では、化粧背板１１を下部収納凹所２ｃのみに配設して空気通路７を隙間２４と隙間１４（コーナー通路３６）で構成しているものであるが、上記化粧背板１１を収納キャビネット１の略上下に亘るように配設し、空気通路７をコーナー通路３６で構成することも好ましく、この場合、収納キャビネット１に収納キャビネット１の奥行き寸法の範囲内で最大限の奥行き寸法を有した収納凹所２を多数設けることができて収納キャビネット１内に収納スペースを広く確保することができ、例えば、洗面ボウル１５の前方突出量を小さくしたり、更に奥行き寸法のある大型の洗面ボウル１５を配置したりすることができるものである。
【００２０】
また、上記コーナー通路３６に洗面ボウル１５に至る給水管路３５を配設しても好ましく、これも空気通路７と同様に収納キャビネット１のスペースの有効活用が図れるものである。
【００２１】
【発明の効果】
上記のように本発明の請求項１記載の壁埋め込みキャビネットにあっては、前面を開口した収納凹所を有する収納キャビネットを壁面に埋設し、上記収納キャビネットの上部に吸入口を設けると共に収納キャビネットの下部に前面に吹出し口を配置した温風器を内装し、上記吸入口と上記温風器とを連通した空気通路を上記収納キャビネットの上下に亘って形成し、上記空気通路の少なくとも一部を上記収納凹所の背面と側面とが成すコーナー部分に設けたので、これにより、吸入口と温風器とを連通すると共に収納キャビネットの略上下に亘って形成した空気通路の少なくとも一部を収納凹所の背面と側面とが成すコーナー部分に設けたことで、収納スペースとして利用されることの少ない収納凹所のコーナー部分に空気通路を確保することになり、収納キャビネットのスペースの有効活用を図れるものであり、また、収納凹所のコーナー部分以外ではその収納凹所の奥行き寸法を収納キャビネットの奥行き寸法内で最大限に確保することができるものであって、壁面によりその奥行き寸法が規制される壁埋め込みキャビネットの収納キャビネットに有効に収納スペースを設けることができるものである。また、化粧背板の側端部を前方に屈曲させて屈曲部を形成し、上記化粧背板の背面を収納キャビネットの収納凹所の背板の前面に重ねて取り付け、収納キャビネットの収納凹所の背板と側板とが成すコーナー部と上記化粧背板の屈曲部との間に形成した隙間を上記コーナー部分に設ける空気通路としたので、収納凹所の背板の前面に化粧背板の背面を重ねて取り付けることで収納凹所の奥行き寸法を収納キャビネットの奥行き寸法の範囲内で最大限確保できると共に収納スペースとして利用されることの少ない収納凹所の背面と側面とが成すコーナー部分において空気通路を確保することになり、収納キャビネットのスペースの有効活用を図れるものであり、また、収納凹所のコーナー部分以外ではその収納凹所の奥行き寸法を収納キャビネットの奥行き寸法内で最大限に確保することができるものであって、壁面によりその奥行き寸法が規制される壁埋め込みキャビネットの収納キャビネットに有効に収納スペースを設けることができるものである。更に言うと、たとえば、化粧背板の屈曲部の屈曲形状をトイレットペーパーの外周面の曲率に合わせて形成させると、収納凹所に有効にトイレットペーパーが収納できるものであって、収納凹所の収納スペースの有効活用が図られるものである。
【００２２】
また、本発明の請求項２記載の壁埋め込みキャビネットは、請求項１の効果に加えて、収納キャビネットの上部の前面にスイッチ部を配設し、上記スイッチ部の下部に前面を開口した収納凹所を設け、上記スイッチ部の裏面に中空空間を形成し、上記中空空間に下方開口を設けて上記中空空間と上記収納凹所とを連通した吸入口を形成し、上記中空空間と空気通路とを連通したので、空気通路に連通する吸入口が収納キャビネットの上部の前面に露出したスイッチ部の裏方に位置して、つまり、吸入口は収納キャビネットを前面から見てスイッチ部の蔭に隠れる位置に位置することから、収納キャビネットに外方に開口する吸入口が外観上見えないものであって壁埋め込みキャビネットの外観を向上させるものである。
【図面の簡単な説明】
【図１】本発明の実施の形態の例を示す側面断面図である。
【図２】図１のＡ−Ａ線断面図である。
【図３】同上の（ａ）は正面図であり、（ｂ）は上面図である。
【図４】同上の化粧背板の斜視図である。
【図５】同上の下部収納凹所の下部分を拡大した斜視図である。
【図６】従来技術の例を示すものであり、（ａ）は正面図であり、（ｂ）は上面図であり、（ｃ）は側面断面図である。
【符号の説明】
１  収納キャビネット
２  収納凹所
３  壁面
４  吸入口
５  吹出し
６  温風器
７  空気通路
８  スイッチ部
９  中空空間
１０  下方開口
１１  化粧背板
１２  屈曲部
１３  コーナー部
１４  隙間
【図１】
0003702772.tif 000002
【図２】
0003702772.tif 000003
【図３】
0003702772.tif 000004
【図４】
0003702772.tif 000005
【図５】
0003702772.tif 000006
【図６】
0003702772.tif 000007